(57)【特許請求の範囲】
【請求項１】
ヨーク、磁石及びトッププレートからなり磁気ギャップを含む磁気回路と、前記磁気ギャップに配置されるボイスコイルと、前記ボイスコイルを巻装するボイスコイルボビンと、前記ボイスコイルボビンに取り付けられる振動板と、前記ボイスコイルに囲まれる前記磁気回路のヨークにおいて前記ボイスコイルボビンの伸長方向に穿孔され設けられた中空部と、前記磁気回路の中空部に挿入されかつ前記振動板に固着され前記振動板より突出して前記振動板を移動自在に支持する支持杆と、を備える低音用スピーカ装置であって、
前記磁気回路のヨークの中空部の両端の内面に取り付けられかつ前記支持杆が前記磁気回路の中空部に沿ったピストン運動のみを達成するように離間して配置されかつ前記支持杆に接触しこれを移動自在に支持する一対の環状の支持部材を備え、
前記ボイスコイルボビンがピストン運動方向において前記振動板の有効振動板半径より長く形成されたことを特徴とする低音用スピーカ装置。
【請求項２】
前記支持部材は、前記磁気回路の中空部の周りの材料の摩擦係数より小なる摩擦係数を有する材料からなることを特徴とする請求項１記載の低音用スピーカ装置。
【請求項３】
前記支持部材は、セラミックからなることを特徴とする請求項２記載の低音用スピーカ装置。
【請求項４】
前記ピストン振動方向以外の方向への前記振動板の変位を防止するように前記振動板から離間して配置されて前記ボイスコイルボビンを支持するダンパーを有することを特徴とする請求項１〜３のいずれかに記載の低音用スピーカ装置。
【請求項５】
前記振動板は円環形状又はコーン形状であり、前記ボイスコイルボビンは前記振動板の内周縁部を支持することを特徴とする請求項１〜４のいずれか１記載の低音用スピーカ装置。
【請求項６】
前記振動板は円環形状又はコーン形状であり、前記支持杆は前記振動板の内周縁部を支持することを特徴とする請求項１〜４のいずれか１記載の低音用スピーカ装置。
【請求項７】
前記振動板は平板形状であることを特徴とする請求項１〜４のいずれか１記載の低音用スピーカ装置。
【請求項８】
前記磁気回路に取り付けられるフレームを備え、前記振動板の外周縁部は前記フレームに取付けられることを特徴とする請求項１〜７のいずれか１記載の低音用スピーカ装置。
【請求項９】
前記支持杆と前記振動板とは、支持体を介して固着されることを特徴とする請求項１〜８のいずれか１記載の低音用スピーカ装置。
【請求項１０】
前記支持部材は、前記磁気回路の中空部の周りの材料の軟化点より高い軟化点を有する耐熱性材料からなることを特徴とする請求項１〜９のいずれか１記載の低音用スピーカ装置。
【請求項１１】
前記支持杆は、前記磁気回路の中空部の周りの材料の軟化点より高い軟化点を有する耐熱性材料からなることを特徴とする請求項１〜１０のいずれか１記載の低音用スピーカ装置。
【発明の詳細な説明】
【０００１】
【発明の属する技術分野】
本発明は、スピーカなどの電気音響変換器に関し、特に低音再生用スピーカ装置に関する。
【０００２】
【従来の技術】
電気音響変換器として、図１の部分断面図（半体）にて示す動電型スピーカが知られている。かかる動電型スピーカにおいては、バックプレートの中央部から突出するポールヨーク１が載置され、その周囲にはマグネット２が載置されている。トッププレート３はマグネット２の上に載置され、ポールヨーク１との間に磁気ギャップを形成して磁気回路を構成する。トッププレート３は振動板及び磁気回路用フレーム５に固着されている。該磁気ギャップにはボイスコイル４ａを巻装したボイスコイルボビン４が振動自在に挿入され、ボイスコイルボビンはダンパー７により支持されている。ボイスコイルボビン７にはコーン形状の振動板８がその中央部にて結合し、更にその円錐台形の頂切端部上にセンターキャップ６が冠着されている。振動板８の開口周縁部はエッジ９を介してフレーム５に支持されている。なお、ボイスコイルのリード線は錦糸線を介してフレーム５の側面に設けられた端子に接続されている。
【０００３】
このように、従来の代表的な駆動方式の動電型スピーカユニットにおいては、磁気回路内にボイスコイルを配して、音声信号をボイスコイルに入力することにより、発生するフレミングの左手側に基づく電磁力によって、ボイスコイルを駆動してこれに接合された振動板を駆動することで、空気を振動させている。
【０００４】
【発明が解決しようとする課題】
一般に、低音用スピーカでは、その振動板の面積を大きくして出力音圧レベルを確保するとともに、振動板支持部分のスチフネスをｓ0と振動系の実効質量をｍ0として規定される低音共振周波数ｆ0＝（ｓ0／ｍ0）1/2／２πが低く抑えられている。
【０００５】
近年の低音用スピーカにおいても小型化が望まれており、出力音圧レベルを確保するために、低音用スピーカでは、振動板の振幅を大きくする必要がある。ところが振幅を大きくすると振動板の正規の振動方向（ピストン運動方向）以外の方向にも振動板が変位してしまう、すなわち回転対称のコーン振動板の場合ではその回転軸方向からそれた方向（ローリング運動方向）に振動板が振動してしまう問題がある。
【０００６】
そこで、本発明は、このような課題を解決するため、振動板が正規方向以外に変位しないスピーカ装置を提供することを目的とする。
【０００７】
【課題を解決するための手段】
本発明のスピーカ装置は、磁気ギャップを含む磁気回路と、
前記磁気ギャップに配置されるボイスコイルと、
前記ボイスコイルを巻装するボイスコイルボビンと、
前記ボイスコイルボビンに取り付けられる振動板と、
前記ボイスコイルに囲まれる前記磁気回路の部分において前記ボイスコイルボビンの伸長方向に穿孔され設けられた中空部と、
前記磁気回路の中空部に挿入されかつ前記振動板に固着され前記振動板より突出して前記振動板を移動自在に支持する支持杆と、
前記磁気回路の中空部の所定位置に取り付けられ前記支持杆を前記磁気回路中空部において移動自在に支持する支持部材と、を備えることを特徴とする。
【０００８】
本発明のスピーカ装置においては、前記支持部材は、前記磁気回路の中空部の周りの材料の摩擦係数より小なる摩擦係数を有する材料からなる。
本発明のスピーカ装置においては、前記支持部材は、セラミックからなることを特徴とする。
本発明のスピーカ装置においては、前記支持部材は、ベアリングにより構成されることを特徴とする。
【０００９】
本発明のスピーカ装置においては、前記振動板は円環形状又はコーン形状であり、前記ボイスコイルボビンは前記振動板の内周縁部を支持することを特徴とする。
本発明のスピーカ装置においては、前記振動板は円環形状又はコーン形状であり、前記支持杆は前記振動板の内周縁部を支持することを特徴とする。
【００１０】
本発明のスピーカ装置においては、前記振動板は平板形状であることを特徴とする。
本発明のスピーカ装置においては、前記磁気回路に取り付けられるフレームを備え、前記振動板の外周縁部は前記フレームに取付けられることを特徴とする。
本発明のスピーカ装置においては、前記支持杆と前記振動板とは、前記支持体を介して固着されることを特徴とする。
【００１１】
本発明のスピーカ装置においては、前記支持部材は、前記磁気回路の中空部の周りの材料の軟化点より高い軟化点を有する耐熱性材料からなることを特徴とする。
本発明のスピーカ装置においては、前記支持杆は、前記磁気回路の中空部の周りの材料の軟化点より高い軟化点を有する耐熱性材料からなることを特徴とする。
【００１２】
【発明の実施の形態】
以下に、本発明の電気音響変換器の実施の形態を図面を参照しつつ説明する。本発明の電気音響変換器は、図２に示すように、ヨーク１、磁石２、トッププレート３からなる円環状の磁気回路を有している。磁気回路のヨーク１の中央ポール部分の先端外縁部とトッププレート３の内縁部との間隙にて画定される磁気ギャップにボイスコイル４ａが位置するように、ボイスコイルを巻装したボイスコイルボビン４が配置される。ボイスコイルボビン４は大振幅駆動のために振動方向に対して長く成形される。ボイスコイルボビンがヨークに当らないように、ボイスコイルボビン４に対応するヨーク１の根元部分に凹部が形成されている。
【００１３】
ボイスコイルボビン４には円環形状の例えばコーン振動板８が取り付けられボイスコイルボビンが振動板の内周縁部を支持し、振動板の外周縁部のエッジ９はフレーム５に取り付けられる。また、振動板８は平板であってもよい。フレーム５はトッププレート３に取り付けられている。
ボイスコイルボビン４はその所定位置からダンパー７を介してフレーム５へ取り付けられる。ダンパー７は低音域たとえば１５０Ｈｚ程度の音の再生用に低いスチフネスを得るために、かなり柔らかい材料で形成される。また、ダンパーは設けなくてもよい。
【００１４】
ボイスコイル４ａに囲まれるヨーク１の中央部には、ボイスコイルボビン４の伸長方向に伸張して貫通する中空部１０が穿孔されている。この中空部１０に支持杆１１が挿通され、ヨークの中空部１０内面には支持杆１１との接触面に摩擦係数が小であるベアリングやセラミックなどの支持部材１２が取り付けられる。すなわち、磁気回路の中空部１０に挿入され貫通する支持杆１１は、振動板８に固着されこれから突出して振動板自体を移動自在に支持する。支持部材１２は、磁気回路の中空部の周りのヨーク材料の摩擦係数より小なる摩擦係数を有する材料からなる。支持部材１２は、支持杆１１が規定のピストン運動のみを達成するように、貫通する中空部１０にて離間して配置される。支持部材１２はボイスコイル４ａからの熱がヨーク１を介して伝わるので、耐熱性の高い材料から形成される。耐熱性材料としてはセラミックが好適に用いられる。支持部材１２は、ヨーク材料の軟化点又は融点より高い軟化点又は融点を有する耐熱性材料からなる。
【００１５】
支持杆１１は、振動板８に固着され振動板自体を移動自在に支持するが、支持杆１１の振動板８側（上部）には音響放射方向に向かう主面を有する支持体１３が設けられ、支持体１３を介してボイスコイルボビン４に固着されている。支持体１３上部に主面平板部（フランジ）が形成され、このフランジにボイスコイルボビンと振動板が取り付けられてもよい。また、支持杆１１と支持体１３とは一体的に形成されてもよい。さらに、支持体１３を設けずに、支持杆１１は振動板８の内周縁部を直接支持する構造とすることもできる。
【００１６】
振動板８が駆動されて大振幅で上下動すると正規のピストン振動方向以外の方向に振動板が変位しようとするが、支持杆１１がピストン振動方向のみに移動することにより変位を防止する。ダンパー７によってこの変位をある程度防止できるが、前述のとおり低音再生用としてダンパーは柔らかいので振動方向以外の方向に対する振動を規制できないが、支持杆１１がこれを規制する。
【００１７】
支持杆１１と支持部材１２とは摩擦係数が小なので振動板の振動に支障をきたすことがなく、接触による不要な音も出ない。
図３に第２の実施例を示す。第１の実施例ではヨークの中空部１０内面に取り付けられる一対の支持部材１２が同一の部材でベアリング又はセラミックの一方を用いる構成となっていたが、この第２の実施例では一対の支持部材１２ａ及び１２ｂを異なる部材、すなわち、振動板側の支持部材１２ａをベアリングとし、背面側の支持部材１２ｂをセラミックとする構成或いはこの逆の構成にする。
【００１８】
【発明の効果】
本発明によれば、磁気回路においてボイスコイルボビンの伸長方向に穿孔され設けられた中空部と、その中空部に挿入されかつ振動板に固着され振動板を移動自在に支持する支持杆と、支持杆を移動自在に支持する支持部材と、を備えるので、振動板が正規方向以外に変位しないスピーカ装置を得ることができる。
【図面の簡単な説明】
【図１】動電型スピーカの概略部分断面図である。
【図２】本発明による実施例のスピーカを示す概略部分断面図である。
【図３】本発明による他の実施例のスピーカを示す概略部分断面図である。
【符号の説明】
１  ポールヨーク
２  マグネット
３  トッププレート
５  振動板及び磁気回路用フレーム
４ａ  ボイスコイル
４  ボイスコイルボビン
７  ダンパー
８  振動板
６  センターキャップ
９  エッジ
１０  中空部
１１  支持杆
１２、１２ａ、１２ｂ  支持部材
１３  支持体
【図１】
0004473428.tif 000002
【図２】
0004473428.tif 000003
【図３】
0004473428.tif 000004